(57)【要約】 【課題】広告等を表示でき、右側翼部および左側翼部とを扇状に引き出して受け止めて使用でき、かつ本体部内に収めて携帯できる。【解決手段】広告を表示可能な本体部１と、本体部内に収納かつ引き出し可能で、広告を表示可能な右側翼部２および左側翼部３とを備える扇子状広告媒体で、前記本体部１は、上端の折り目４で折り曲げて重合した表側本体部５および裏側本体部６と、前記翼部を出し入れする右側開口部７と左側開口部８と、前記右側開口部の本体部右側係止部９と、前記左側開口部の本体部左側係止部１０と、下部の前記翼部を回動可能に軸支する軸部１２とを有し、前記右側翼部２と左側翼部３は、前記本体部内に収納可能で、右側翼部２が本体部１より引き出された時に前記本体部右側または左側の係止部９、１０と係合する翼部係止部２０、３０を備え、前記軸部１２に軸支されている扇子状広告媒体。【選択図】図４
0003129478.tif 000002
【実用新案登録請求の範囲】
【請求項１】
広告を表示可能な薄板状材料により形成された本体部と、該本体部内に収納可能かつ引き出し可能であるとともに、広告を表示可能な薄板状材料により形成された右側翼部および左側翼部とを備える扇子状広告媒体であって、
前記本体部は、上端に設けられた折り目にて折り曲げられることより重なりあった状態となっている薄板状表側本体部および薄板状裏側本体部と、前記右側翼部を出し入れするための右側開口部と、前記左側翼部を出し入れするための左側開口部と、前記右側開口部に設けられた本体部右側係止部と、前記左側開口部に設けられた本体部左側係止部と、下部に設けられた前記右側翼部および前記左側翼部を回動可能に軸支する軸部とを有し、
前記右側翼部は、前記本体部内にほぼ収納可能な形態と、前記右側翼部が所定の面積前記本体部より引き出された時に前記本体部右側係止部と係合する右側翼部係止部を備え、かつ前記軸部により下端部が軸支されており、
前記左側翼部は、前記本体部内にほぼ収納可能な形態と、前記左側翼部が所定の面積前記本体部より引き出された時に前記本体部左側係止部と係合する左側翼部係止部を備え、かつ前記軸部により下端部が軸支されていることを特徴とする扇子状広告媒体。
【請求項２】
前記表側本体部および前記裏側本体部は、前記折り目にて折り曲げられることより重なりあった状態となっているとともにほぼ同じ形状を有している請求項１に記載の扇子状広告媒体。
【請求項３】
前記表側本体部および前記裏側本体部は、略三角形状であり、前記右側翼部および前記左側翼部は、前記略三角形状に対応した略三角形状となっている請求項１または２に記載の扇子状広告媒体。
【請求項４】
前記本体部右側係止部および前記本体部左側係止部は、前記裏面側本体部に設けられている請求項１ないし３のいずれかに記載の扇子状広告媒体。
【請求項５】
前記本体部右側係止部は、前記裏面側本体部の右側部を前記本体部の内側に折り曲げることにより形成されており、前記右側翼部係止部は、前記右側翼部の左側部を裏面側に折り曲げることにより形成されており、
前記本体部左側係止部は、前記裏面側本体部の左側部を前記本体部の内側に折り曲げることにより形成されており、前記左側翼部係止部は、前記左側翼部の右側部を裏面側に折り曲げることにより形成されている請求項１ないし４のいずれかに記載の扇子状広告媒体。
【請求項６】
前記右側翼部は、右上端部に前記本体部への収納時に前記折り目の右側端部もしくはその内面と当接する突出部を備え、前記左側翼部は、左上端部に前記本体部への収納時に前記折り目の左側端部もしくはその内面と当接する突出部を備えている請求項１ないし５のいずれかに記載の扇子状広告媒体。
【請求項７】
前記表面側本体部は、下部に形成された保持部と、該保持部の上部に折り目を介して設けられた舌状長片と該保持部の下部に折り目を介して設けられた舌状短辺片とを有し、前記右側翼部および前記左側翼部は、下部に設けられ、かつ前記舌状長片および前記舌状短辺片が挿通する挿通孔を有しており、前記裏面側本体部は、下部に設けられ、かつ前記舌状長片および前記舌状短辺片が挿通する挿通孔と、該挿通孔の上部に位置し、該挿通孔を挿通した前記舌状長片の先端が侵入する差し込み孔とを備えている請求項１ないし６のいずれかに記載の扇子状広告媒体。
【考案の詳細な説明】
【技術分野】
【０００１】
この考案は、広告等を表示し、本体部に対して左右の翼部を引き出して使用し、収納して携帯できる扇子状広告媒体に関する。
【背景技術】
【０００２】
従来、扇子を複数の開閉部材で構成したものとして、複数の開閉部材と、これら開閉部材を回動支点側で回動可能に連結する回動連結手段と開閉部材から切り起こされた係止片と、前記開閉部材の中間部に形成されて前記係止片を挿入させて摺動自在に係止させるスリットを備えた引き出し機構が提案されている（特許文献１参照）。
【０００３】
【特許文献１】特開２００３−０００３１６
【考案の開示】
【考案が解決しようとする課題】
【０００４】
特許文献１の扇子は、複数の開閉部材はスリットを設けたもの、係止片を設けたもの、スリットと係止片を設けたものを用意する必要があり、各スリットと係止片の位置も同じでないので、いろいろの種類の開閉部材を作成する必要があり、製造コストが高くなり、また、開閉部材を重ねるだけで、開閉部材を収納する枠体が設けられていないので、携帯しにくく、また開閉部材にスリットや、起こした係止片があるために開閉部材の扇面に広告などの印刷をしずらいなどの問題がある。
【０００５】
この考案は、このような問題点を解消するために、表裏に広告等を表示でき、本体部に対して右側翼部および左側翼部を引き出した位置で右側翼部の右側翼部係止部が本体部右側係止部と、左側翼部の左側翼部係止部が本体部左側係止部と係合して外れることなく扇子状として使用でき、かつ右側翼部および左側翼部とを本体部内に収めて携帯できる扇子状広告媒体を提供することを目的とする。
【課題を解決するための手段】
【０００６】
上記目的を達成するものは、以下のものである。
（１）  広告を表示可能な薄板状材料により形成された本体部と、該本体部内に収納可能かつ引き出し可能であるとともに、広告を表示可能な薄板状材料により形成された右側翼部および左側翼部とを備える扇子状広告媒体であって、
前記本体部は、上端に設けられた折り目にて折り曲げられることより重なりあった状態となっている薄板状表側本体部および薄板状裏側本体部と、前記右側翼部を出し入れするための右側開口部と、前記左側翼部を出し入れするための左側開口部と、前記右側開口部に設けられた本体部右側係止部と、前記左側開口部に設けられた本体部左側係止部と、下部に設けられた前記右側翼部および前記左側翼部を回動可能に軸支する軸部とを有し、
前記右側翼部は、前記本体部内にほぼ収納可能な形態と、前記右側翼部が所定の面積前記本体部より引き出された時に前記本体部右側係止部と係合する右側翼部係止部を備え、かつ前記軸部により下端部が軸支されており、
前記左側翼部は、前記本体部内にほぼ収納可能な形態と、前記左側翼部が所定の面積前記本体部より引き出された時に前記本体部左側係止部と係合する左側翼部係止部を備え、かつ前記軸部により下端部が軸支されていることを特徴とする扇子状広告媒体。
【０００７】
（２）  前記表側本体部および前記裏側本体部は、前記折り目にて折り曲げられることより重なりあった状態となっているとともにほぼ同じ形状を有している上記（１）に記載の扇子状広告媒体。
（３）  前記表側本体部および前記裏側本体部は、略三角形状であり、前記右側翼部および前記左側翼部は、前記略三角形状に対応した略三角形状となっている上記（１）または（２）に記載の扇子状広告媒体。
【０００８】
（４）  前記本体部右側係止部および前記本体部左側係止部は、前記裏面側本体部に設けられている上記（１）ないし（３）のいずれかに記載の扇子状広告媒体。
（５）  前記本体部右側係止部は、前記裏面側本体部の右側部を前記本体部の内側に折り曲げることにより形成されており、前記右側翼部係止部は、前記右側翼部の左側部を裏面側に折り曲げることにより形成されており、
前記本体部左側係止部は、前記裏面側本体部の左側部を前記本体部の内側に折り曲げることにより形成されており、前記左側翼部係止部は、前記左側翼部の右側部を裏面側に折り曲げることにより形成されている上記（１）ないし（４）のいずれかに記載の扇子状広告媒体。
【０００９】
（６）  前記右側翼部は、右上端部に前記本体部への収納時に前記折り目の右側端部もしくはその内面と当接する突出部を備え、前記左側翼部は、左上端部に前記本体部への収納時に前記折り目の左側端部もしくはその内面と当接する突出部を備えている上記（１）ないし（５）のいずれかに記載の扇子状広告媒体。
【００１０】
（７）  前記表面側本体部は、下部に形成された保持部と、該保持部の上部に折り目を介して設けられた舌状長片と該保持部の下部に折り目を介して設けられた舌状短辺片とを有し、前記右側翼部および前記左側翼部は、下部に設けられ、かつ前記舌状長片および前記舌状短辺片が挿通する挿通孔を有しており、前記裏面側本体部は、下部に設けられ、かつ前記舌状長片および前記舌状短辺片が挿通する挿通孔と、該挿通孔の上部に位置し、該挿通孔を挿通した前記舌状長片の先端が侵入する差し込み孔とを備えている（１）ないし（６）のいずれかに記載の扇子状広告媒体。
【考案の効果】
【００１１】
この考案の扇子状広告媒体によれば、右側翼部および左側翼部とを本体部より引き出したとき、右側翼部係止部が前記本体部右側係止部と、左側翼部係止部が本体部左側係止部と係合して外れることなく扇子状として使用でき、また本体部に右側翼部および左側翼部を収納して携帯することができるので便利である。この本体部と右側翼部および左側翼部は表側、裏側が平面であり、扇面の表裏に文字、図柄、写真、広告等を簡単に印刷することができる。薄板状材料だけで、扇子状広告媒体を作成でき、軽量かつ安価に提供できる。
【００１２】
この考案の扇子状広告媒体によれば、前記表側本体部および前記裏側本体部は、略三角形状であり、前記右側翼部および前記左側翼部は、前記略三角形状に対応した略三角形状となっているから、右側翼部および左側翼部を本体部内に収納することができ、携帯に便利である。
【００１３】
この考案の扇子状広告媒体によれば、右側翼部および左側翼部を本体部から引き出して扇子状に開くとき、右側翼部および左側翼部の係止部が本体部の係止部に係合するまで引き出されるので、右側翼部および左側翼部が本体部より外れることなく広げることができる。右側翼部および左側翼部の係止部が本体部の係止部に係合して重なる部分が扇子の骨の役割をして右側翼部および左側翼部を開いて扇ぐとき折れ曲がることを防止できる。
【００１４】
この考案の扇子状広告媒体によれば、前記右側翼部は、右上端部に前記本体部への収納時に前記折り目の右側端部もしくはその内面と当接する突出部を備え、前記左側翼部は、左上端部に前記本体部への収納時に前記折り目の左側端部もしくはその内面と当接する突出部を備え、右側翼部および左側翼部を本体部に収納して閉じるとき突出部が本体部の内面に接して止まり、右側翼部および左側翼部を本体部に納めて携帯できるので、使い勝手がよい。
【００１５】
また、この考案の扇子状広告媒体によれば、表面側本体部の保持部に設けた舌状長片と舌状短辺片とを前記右側翼部および前記左側翼部の挿通孔に挿入し、裏面側本体部の差し込み孔に係止することにより簡単に軸部を構成でき、本体部と右側翼部および左側翼部を下部において開閉可能に軸支できる。
【考案を実施するための最良の形態】
【００１６】
この考案の扇子状広告媒体の実施形態を図面に基づいて説明する。図１はこの考案の扇子状広告媒体の翼部を収めた状態の正面図、図２は扇子状広告媒体の翼部を引き出し状態の正面図、図３は同背面図、図４は表側本体部を除いて示す正面図、図５は扇子状広告媒体の側面図、図６は本体部に右側翼部および左側翼部を収納した状態の断面図、図７は本体部から右側翼部および左側翼部を引き出し本体部の係止部と右側翼部および左側翼部の係止部が係合した状態の断面図、図８は、本体部の展開内面図、図９は右側翼部および左側翼部の展開内面図である。図５の側面図、図６の断面図、図７の断面図では、本体部と右側翼部および左側翼部の係止部を折り曲げて相互に嵌合させる部分があるために作図上本体部は厚いものとなっているが、実際上は本体部、左右の翼部は薄板状であるから、本体部は薄いものである。
【００１７】
図１ないし図７おいて、この考案の扇子状広告媒体は、広告を表示可能な薄板状材料により形成された本体部１と、該本体部１内に収納可能かつ引き出し可能であるとともに、広告を表示可能な薄板状材料により形成された右側翼部２および左側翼部３とを備える。前記した本体部１と右側翼部２、左側翼部３は表側、裏側が平面であり、これらで構成される扇面の全面或いは一部の面、表裏両面或いは片面に文字、図柄、写真、広告等を簡単に印刷することができる。
【００１８】
前記本体部１は広告を表示可能な板紙、ダンボール紙、合成樹脂シート等薄板状材料で構成され、上端に設けられた折り目４にて折り曲げられて薄板状表側本体部５および薄板状裏側本体部６とが重なりあった状態となり、その薄板状表側本体部５および薄板状裏側本体部６の両側には、前記右側翼部２を出し入れするための右側開口部７と、前記左側翼部３を出し入れするための左側開口部８と、前記右側開口部７に設けられた本体部右側係止部９と、前記左側開口部８に設けられた本体部左側係止部１０が設けられ、下部に前記右側翼部２および前記左側翼部３を回動可能に軸支する軸部１２が設けられる。
【００１９】
前記表側本体部５および前記裏側本体部６は、前記折り目４にて折り曲げられることより重なりあった状態となっているとともにほぼ同じ形状を有している。
前記表側本体部５および前記裏側本体部６は、ほぼ同じ大きさの三角形状に形成されている。前記表側本体部５、裏側本体部６は、略二等辺三角形を逆さにして幅広の上端を真っ直ぐとして連結されて折り目４が設けられ、該折り目４で折り曲げて重ね合わせられ、表側本体部５、裏側本体部６間の両側に右側翼部２を出し入れする右側開口部７、左側翼部３を出し入れする左側開口部８が構成されている。この本体部１は、右側翼部２、左側翼部３より若干大きくして収納時に表側本体部５、裏側本体部６間に右側翼部２、左側翼部３が収納できるようにする。
前記本体部右側係止部９および前記本体部左側係止部１０は、前記裏面側本体部６に設けられている。
前記本体部１の表側本体部５、裏側本体部６は、下部に軸部１２が構成され、本体部１の表側本体部５、裏側本体部６間に入れる右側翼部２、左側翼部３が回動自由に軸支される。右側翼部２は左側翼部３の表側（手前）に重ねて本体部１に収容されて軸支される。
【００２０】
前記本体部１の裏面側本体部６の両側端には、右側翼部２の右側翼部係止部２０が係合可能な本体部右側係止部９と、左側翼部３の左側翼部係止部３０が係合可能な本体部左側係止部１０が両端の折り目１１ａ、１１ｂより内側（表側）に折り曲げて形成される。
図８において、本体部１は二等辺三角形の表側本体部５、裏側本体部６がその幅広の上端同士で連結され、裏側本体部６の両側端に上端付近から前記軸部の位置付近までに折り目１１ａで内側に折り曲げる本体部右側係止部９および折り目１１ｂで内側に折り曲げる前記本体部左側係止部１０が設けられ、表側本体部５、裏側本体部６を上端の折り目４で２つ折りに折り曲げて作成される。本体部右側係止部９および本体部左側係止部１０は、本体部の上端近くから、軸部１２の近くまでの長さで、一定の狭い幅の折り曲げ片としてある。
【００２１】
右側翼部２、左側翼部３は前記本体部１と同じ材質の板紙、ダンボール紙、合成樹脂シート等薄板状材料で構成され、前記略三角形状の本体部１とほぼ同じ三角形状となっている。前記右側翼部２および前記左側翼部３は、本体部１に収容できるように若干小さくする。前記右側翼部２、左側翼部３は、本体部１の表側本体部５、裏側本体部６の軸部の支点から上端までの高さＨより若干短い高さ（半径）Ｈ1に設けられる。
前記右側翼部２は、前記本体部１内にほぼ収納可能な形態と、前記右側翼部２が所定の面積前記本体部１より引き出された時に前記本体部右側係止部９と係合する右側翼部係止部２０を備え、かつ前記軸部１２により下端部が軸支されており、
前記左側翼部３は、前記本体部内にほぼ収納可能な形態と、前記左側翼部３が所定の面積前記本体部より引き出された時に前記本体部左側係止部１０と係合する左側翼部係止部３０を備え、かつ前記軸部１２により下端部が軸支されている。
【００２２】
前記右側翼部係止部２０は、前記右側翼部２の左側部を裏面側に折り曲げることにより形成されており、前記左側翼部係止部３０は、前記左側翼部３の右側部を裏面側に折り曲げることにより形成されている。裏面側に折り曲げられた前記右側翼部係止部２０と左側翼部係止部３０が前記裏面側本体部６の両端の表側に折り曲げられた本体部右側係止部９と本体部左側係止部１０とそれぞれ相対向して係合可能な関係に配置される。
右側翼部および左側翼部を本体部から引き出して扇子状に開くとき、右側翼部係止部２０および左側翼部係止部３０が本体部の本体部右側係止部９と、本体部左側係止部１０に係合するまで引き出されるので、右側翼部および左側翼部が本体部より外れることなく広げることができる。表側本体部５と裏側本体部６との間で右側翼部および左側翼部の係止部が裏側本体部の係止部に係合されるので、、その係合した係止部は表側本体部５で抑えられることになり、係止部が開いて外れることを防止できる。また、右側翼部および左側翼部の係止部が裏側本体部の係止部に係合して重なる部分が扇子の骨の役割をして右側翼部および左側翼部を開いて扇ぐとき折れ曲がることを防止できる。前記右側翼部２および前記左側翼部３は、下部に設けられ、かつ後述の舌状長片１５および舌状短辺片１７が挿通する挿通孔２２、３２を有している。
【００２３】
図９において、右側翼部２、左側翼部３は、前記本体部１の表側本体部５、裏側本体部６とほぼ同じの二等辺三角形で、左右対称の形状に設けられている。この右側翼部２、左側翼部３の上面は円弧面として扇状としてある。右側翼部２には一側端に上端付近から前記軸部の付近までに折り目２１で折り曲げる幅狭の右側翼部係止部２０が設けられ、左側翼部３には、一側端に上端付近から前記軸部の付近までに折り目３１で折り曲げる幅狭の左側翼部係止部３０が設けられる。
本体部右側係止部９、本体部左側係止部１０、右側翼部係止部２０、左側翼部係止部３０の幅、長さはほぼ同じとする。前記本体部１の本体部右側係止部９と右側翼部係止部２０は、相対向して断面Ｖ字状に折り曲げられ、相互に掛かるようにされ、本体部１の本体部左側係止部１０と左側翼部係止部３０は、相対向して断面Ｖ字に折り曲げられ、相互に掛かるようにされる。
そして、右側翼部２、左側翼部３は、下部に前記軸部１２を挿通する挿通孔２２、３２を有しかつ前記本体部１の前後の表側本体部５、裏側本体部６間に収容されて軸部１２を中心としてそれぞれ左または右に回動自在に備えられている。右側翼部２、左側翼部３は本体部１内に収納しても、本体部１はシート材で弾性を有し、両側の右側開口部７、左側開口部８を多少広げることができるので、収納した右側翼部２、左側翼部３の端を指先で摘んで引き出すことができる。挿通孔２２、３２は前記本体部１の挿通孔１８と同一軸線上となる位置に同径の円形孔が設けられている。
【００２４】
図９に示す右側翼部２、左側翼部３の上面は翼部係止部を設けた側の方が反対側より高さを高くしてあり、右側翼部２、左側翼部３を閉じるときに本体部１の上端内面に当たることなく円滑に収納できるようにしてある。右側翼部２、左側翼部３は本体部１に収納する際に右側翼部２、左側翼部３の上部の端を指で掴むことができる程度本体部１より露出した状態で止まるようにしてもよい（図１参照）。
前記右側翼部２、左側翼部３を本体部１に収納して止めるために、前記右側翼部２は、右上端部に前記本体部１への収納時に本体部１の上部の折り目４の右側端部もしくはその内面と当接する突出部２３を備え、前記左側翼部３は、左上端部に前記本体部１への収納時に前記折り目４の左側端部もしくはその内面と当接する突出部３３を備えている。
本体部に収納時、右側翼部２、左側翼部３の側部が若干露出した状態で突出部２３、３３が本体部１の上端内面に当接して止まるようにしてある。この突出部２３、３３は本体部に円滑に出し入れできるように扇状シート材の端部から円弧状に設けるのが好ましい。右側翼部および左側翼部を本体部に収納して閉じるとき突出部が本体部の内面に接して止まり、右側翼部および左側翼部を本体部に納めて携帯できるので、使い勝手がよい。前記突出部２３、３３は円弧状としたが、これに限られるものではなく適宜形状とできる。また、右側翼部２、左側翼部３の上面に突出部を設けたが、これに限るものでなく、突出部は設けないで、右側翼部、左側翼部の上面が丁度本体部１の上端内面に入るようにしてもよい。
【００２５】
前記本体部１に備える軸部１２は、表側本体部５の下部の前記右側翼部２の挿通孔２２、左側翼部３の挿通孔３２に挿入しうる位置に保持部１３の上下に舌状の切り込みが設けられて、舌状片が設けられ、舌状片が基端より円弧状に折り曲げられて構成される。
前記表面側本体部５は、下部に形成された保持部１３と、該保持部１３の上部に折り目１４を介して設けられた舌状長片１５と該保持部１３の下部に折り目１６を介して設けられた舌状短辺片１７とが設けられている。
前記保持部１３は表側本体部５の下部に右側翼部２および左側翼部３の挿通孔２２、３２の位置のほぼ中心位置で、長手方向の中心線に対して直交する方向に所定幅の帯状に設けられ、その保持部１３の上下に折り目１４、１６を介して軸を構成する舌状片１５と１７が形成されている。実施例では、保持部１３の上側の折り目１４を介して舌状長片１５が設けられ、かつ保持部１３の下側の折り目１６を介して舌状短辺片１７が設けられている。前記舌状長片１５は保持部１３の上部に長いＵ型の舌状の切り込み１５’、前記舌状短辺片１７は保持部１３の下部に短いＵ型の舌状の切り込み１７’を入れて設けられ、保持部１３の上下に円弧状の折り目１４、１６が設けられる。この舌状長片１５が折り目１４で、舌状短辺片１７が折り目１６で直角に折り曲げられ、舌状長片１５、舌状短辺片１７が右側翼部２の挿通孔２２、左側翼部３の挿通孔３２と、裏側本体部６の挿通孔１８に挿入される。折り目１４、１６は若干円弧状として舌状片を折り曲げるとき舌状片が若干円弧状となって、円形の挿通孔の内面に沿うようにするのが好ましい。
【００２６】
前記裏面側本体部６は、下部に前記舌状長片１５および前記舌状短辺片１７が挿通する挿通孔１８が設けられ、該挿通孔１８の上部に位置し、該挿通孔１８を挿通した前記舌状長片１５の先端が侵入する差し込み孔１９とが設けられている。
差し込み孔１９は、裏側本体部６の長手方向の中心線に対して直交する方向に設けられて、前記舌状長片１５の先端１５ａを差し込み可能とされる。
舌状長片１５と短い舌状短辺片１７が基端の折り目１４、１６より折り曲げられて前記右側翼部２、左側翼部３の挿通孔２２と、裏側本体部６の挿通孔１８に挿入されて裏側本体部６の裏面で折り曲げられ、さらに舌状長片１５の先端１５ａが差し込み孔１９に差し込まれて軸部１２が構成される。
なお、前記本体部に備える軸部１２は、本体部に長い切り込みと短い切り込みを入れて舌状長片１５と舌状短辺片１７を形成する場合を示したが、軸部は前記構成に限られるものではなく、例えば舌状片は同じ長さでもよく、或いは軸部は別体として挿通孔に挿入して前後を止めるようにすることもできる。
【００２７】
この考案の扇子状広告媒体の組み立て方を説明する。本体部１を図８のように展開して、本体部１の後側の裏側本体部６の上に左側翼部３、右側翼部２を載せ、裏側本体部６の本体部右側係止部９と右側翼部２の右側翼部係止部２０、本体部左側係止部１０と左側翼部３の左側翼部係止部３０とを向かい合わせて組み合わせ、右側翼部２の挿通孔２２と左側翼部３の挿通孔３２と、裏側本体部６の挿通孔１８とを合わせ、表側本体部５の舌状長片１５を折り目１４、舌状短辺片１７を折り目１６で折り曲げて、右側翼部２、左側翼部３の挿通孔２２、３２を通じて裏側本体部６の挿通孔１８に挿通して裏側本体部６の後側で折り曲げ、さらに舌状長片１５の先端１５ａを差し込み孔１９に差し込んで扇子状広告媒体を組み立てる。
このように組み立てることにより、扇子状広告媒体を広げるときは、右側翼部２、左側翼部３を上部の端を持って本体部１の軸部１２を支点として本体部１より引き出されて開かれ、本体部１の本体部右側係止部９と右側翼部２の右側翼部係止部２０、本体部左側係止部１０と左側翼部３の左側翼部係止部３０とが係合されるまで開いて扇子状として使用できる。また、扇子状広告媒体を閉じるときは、前記右側翼部２、左側翼部３を本体部１内に押し込んで収納して畳むことができる。薄板状材料で作成した本体部と右側翼部、左側翼部で扇子状広告媒体を簡単に作成することができ、軽量で携帯に便利であり、安価に提供できる。
【００２８】
この考案は上記実施形態に限定されるものではなく、この考案の要旨を逸脱しない範囲で、種々の形態を実施しうるものである。前記実施形態では、裏側本体部の両側に表側に折り曲げた係止部を設けた場合を示したが、これに限定されるものではなく、表側本体部の両側に係止部を裏側に折り曲げて設け、それに左右の翼部の係止部が係合できるようにすることも可能である。
【図面の簡単な説明】
【００２９】
【図１】この考案の扇子状広告媒体の翼部を収めた状態の正面図である。
【図２】扇子状広告媒体の翼部を引き出し状態の正面図である。
【図３】同背面図である。
【図４】表側本体部を除いて示す正面図である。
【図５】扇子状広告媒体の側面図である。
【図６】本体部に右側翼部および左側翼部を収納した状態の断面図である。
【図７】本体部から右側翼部および左側翼部を引き出し本体部の係止部と右側翼部および左側翼部の係止部が係合した状態の断面図である。
【図８】本体部の展開内面図である。
【図９】右側翼部および左側翼部の展開内面図である。
【符号の説明】
【００３０】
１  本体部
２  右側翼部
３  左側翼部
４  折り目
５  表側本体部
６  裏側本体部
７  右側開口部
８  左側開口部
９  本体部右側係止部
１０  本体部左側係止部
１１ａ  折り目
１１ｂ  折り目
１２  軸部
１３ 保持部
１４  折り目
１５  舌状長片
１６  折り目
１７  舌状短辺片
１８  挿通孔
１９  差し込み孔
２０  右側翼部係止部
２１  折り目
２２  挿通孔
２３  突出部
３０  左側翼部係止部
３１  折り目
３２  挿通孔
３３  突出部
【図１】
0003129478.tif 000003
【図２】
0003129478.tif 000004
【図３】
0003129478.tif 000005
【図４】
0003129478.tif 000006
【図５】
0003129478.tif 000007
【図６】
0003129478.tif 000008
【図７】
0003129478.tif 000009
【図８】
0003129478.tif 000010
【図９】
0003129478.tif 000011